(57)【要約】【課題】  誰でも簡単にピアノを演奏することができるように支援するピアノ演奏支援具を提供する。【解決手段】  楽譜シート１１は、音名（「ド」、「レ」、「ミ」、「ファ」、「ソ」、「ラ」、「シ」）と当該音名に対応付けられた右手の番号とを示す右手演奏用五線譜が印刷されている。また、楽譜シート１１には、上記右手演奏用五線譜の下側に位置し、音名と当該音名に対応付けられた左手の番号とを示す左手演奏用五線譜が印刷されている。【選択図】  図６
0003203824.tif 000002
【実用新案登録請求の範囲】
【請求項１】
音名と当該音名に対応付けられた右手の番号とを示す右手演奏用五線譜と、
前記右手演奏用五線譜の下側に位置し、音名と当該音名に対応付けられた左手の番号とを示す左手演奏用五線譜とが
印刷された楽譜シート
を有するピアノ演奏支援具。
【請求項２】
複数のオクターブについての「ド」、「レ」、「ミ」、「ファ」、「ソ」、「ラ」、「シ」の音名と当該音名のオクターブ記号とからなる複数の文字を所定の間隔で示す文字群が表面に印刷された印刷シートと、
前記印刷シートの裏面に形成された接着層と
を有し、
前記印刷シートは、前記文字の各々を囲む切り取りラインが形成されている
鍵盤シール
をさらに有する請求項１に記載のピアノ演奏支援具。
【請求項３】
前記印刷シートは、
ピアノの中央位置にある鍵盤に貼るために用いられる第１の前記文字群と、
前記中央から１オクターブ上の鍵盤に貼るために用いられる第２の前記文字群と、
前記中央から２オクターブ上の鍵盤に貼るために用いられる第３の前記文字群と、
前記中央から１オクターブ下の鍵盤に貼るために用いられる第４の前記文字群と、
前記中央から２オクターブ下の鍵盤に貼るために用いられる第５の前記文字群と
が前記表面に印刷されている
請求項１に記載のピアノ演奏支援具。
【考案の詳細な説明】
【技術分野】
【０００１】
本考案は、ピアノ演奏支援具に関する。
【背景技術】
【０００２】
ピアノの演奏をしたいという要望は多いが、ピアノ演奏には楽譜が読めることが必要である。
【考案の概要】
【考案が解決しようとする課題】
【０００３】
ところで、楽譜は五線譜上での音符の位置によって「ド」、「レ」、「ミ」、「ファ」、「ソ」、「ラ」、「シ」の音階を示している。
しかしながら、初心者は、楽譜を基に、ピアノのどの鍵盤をどの指で押せばよいかを把握することは容易ではない。
このことが、ピアノ演奏の普及の支障になっている。
【０００４】
本考案は、誰でも簡単にピアノを演奏することができるように支援するピアノ演奏支援具を提供することを目的とする。
【課題を解決するための手段】
【０００５】
上述した従来技術の問題点を解決し、上述した目的を達成するため、
【考案の効果】
【０００６】
本考案によれば、誰でも簡単にピアノを演奏することができるように支援するピアノ演奏支援具を提供することができる。
【図面の簡単な説明】
【０００７】
【図１】図１は、左手と右手に予め付される指番号を説明するための図である。
【図２】図２は、本考案の実施形態に係るピアノ演奏支援具の構成要素である鍵盤シールの印刷シートの表面を説明するための図である。
【図３】図３は、図２に示す鍵盤シールをピアノの鍵盤に貼りつけた状態を説明するための図である。
【図４】図４は、ピアノの鍵盤に貼りつけられた鍵盤シールと、指との位置関係を説明するための図である。
【図５】図５は、ピアノの鍵盤に貼りつけられた鍵盤シールと、指との位置関係を説明するための図である。
【図６】図６は、本考案の実施形態に係るピアノ演奏支援シールの楽譜シートを説明するための図である。
【考案を実施するための最良の形態】
【０００８】
以下、本考案の実施形態に係るピアノ演奏支援具を、図面を参照しながら説明する。
図１は左手と右手に予め付される指番号を説明するための図である。図２は本考案の実施形態に係るピアノ演奏支援具１の構成要素である鍵盤シール３の印刷シートの表面を説明するための図である。図３は図２に示す鍵盤シール３をピアノの鍵盤に貼りつけた状態を説明するための図である。
図４および図５は、ピアノの鍵盤に貼りつけられた鍵盤シール３と、指との位置関係を説明するための図である。
図６は、本考案の実施形態に係るピアノ演奏支援シール１の楽譜シート１１を説明するための図である。
【０００９】
［演奏前］
図１に示すように、左手と右手には予め番号を付しておき、これを演奏者に記憶してもらう。
図２に示す鍵盤シール３を、図３に示すようにピアノの鍵盤に貼り付ける。
【００１０】
図２に示すように、鍵盤シール３は、複数のオクターブについての「ド」、「レ」、「ミ」、「ファ」、「ソ」、「ラ」、「シ」の音名と当該音名のオクターブ記号とからなる複数の文字を所定の間隔で示す文字群が表面に印刷された印刷シートを有している。
この印刷シートの裏面には接着層（図示せず）が形成されている。
上記印刷シートは、上記文字の各々を囲む切り取りライン３ａが形成されている。
【００１１】
図２に示すように、上記印刷シートは、ピアノの中央位置にある鍵盤に貼るために用いられる第１の前記文字群と、前記中央から１オクターブ上の鍵盤に貼るために用いられる第２の前記文字群と、前記中央から２オクターブ上の鍵盤に貼るために用いられる第３の前記文字群と、前記中央から１オクターブ下の鍵盤に貼るために用いられる第４の前記文字群と、前記中央から２オクターブ下の鍵盤に貼るために用いられる第５の前記文字群とが表面に印刷されている。
【００１２】
ユーザは、鍵盤シール３のライン３ａに沿って各文字を切り取り、それを図３に示すように、当該文字に対応する鍵盤に位置決めし、上記接着層によって貼り付ける。
【００１３】
［演奏］
次に、演奏者は、図４および図５に示すように指を鍵盤に位置決めし、演奏を行う。
このとき、図６に示す楽譜シート１１を見て、楽譜シート１１内の音符および音名の下に記載されている番号に対応付けられた指で、図４および図５に示すように当該指に対応付けられた鍵盤を押し込む。これにより、演奏者は、楽譜シート１１の音符の下に記載された番号に対応する指で、当該指に対応する鍵盤を押すだけで演奏を行うことができる。
【００１４】
図６に示すように、楽譜シート１１は、音名（「ド」、「レ」、「ミ」、「ファ」、「ソ」、「ラ」、「シ」）と当該音名に対応付けられた右手の番号とを示す右手演奏用五線譜が印刷されている。
また、楽譜シート１１には、上記右手演奏用五線譜の下側に位置し、音名と当該音名に対応付けられた左手の番号とを示す左手演奏用五線譜が印刷されている。
【００１５】
演奏者は、図６に示す右手演奏用五線譜に印刷された右手の番号を基に、当該番号に対応する右手の指で当該指に対応する鍵盤を押す。
また、演奏者は、図６に示す左手演奏用五線譜に印刷された左手の番号を基に、当該番号に対応する左手の指で当該指に対応する鍵盤を押す。これで、両手による演奏が容易に行うことができる。
【００１６】
以上説明したように、ピアノ演奏支援シール１を用いれば、図１に示すように左手と右手に付された番号と、図４および図５に示すように指と鍵盤との対応関係とを覚えるだけで、図６に示すように音符の下に指番号が印刷された楽譜シート１１を見て、あらゆる音楽を簡単にピアノで演奏できる。
【００１７】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００１８】
本考案は、例えば、ピアノ演奏ツールに適用可能である。
【符号の説明】
【００１９】
１…ピアノ演奏支援シール
３…鍵盤シール
３ａ…ライン
１１…楽譜シート
【図１】
0003203824.tif 000003
【図２】
0003203824.tif 000004
【図３】
0003203824.tif 000005
【図４】
0003203824.tif 000006
【図５】
0003203824.tif 000007
【図６】
0003203824.tif 000008
【手続補正書】
【提出日】平成28年2月22日(2016.2.22)
【手続補正１】
【補正対象書類名】実用新案登録請求の範囲
【補正対象項目名】全文
【補正方法】変更
【補正の内容】
【実用新案登録請求の範囲】
【請求項１】
音名と当該音名に対応付けられた右手の番号とを示す右手演奏用五線譜と、
前記右手演奏用五線譜の下側に位置し、音名と当該音名に対応付けられた左手の番号とを示す左手演奏用五線譜とが
印刷された楽譜シート
を有するピアノ演奏支援具。
【請求項２】
複数のオクターブについての「ド」、「レ」、「ミ」、「ファ」、「ソ」、「ラ」、「シ」の音名と当該音名のオクターブ記号とからなる複数の文字を所定の間隔で示す文字群が表面に印刷された印刷シートと、
前記印刷シートの裏面に形成された接着層と
を有し、
前記印刷シートは、前記文字の各々を囲む切り取りラインが形成されている
鍵盤シール
をさらに有する請求項１に記載のピアノ演奏支援具。
【請求項３】
前記印刷シートは、
ピアノの中央位置にある鍵盤に貼るために用いられる第１の前記文字群と、
前記中央から１オクターブ上の鍵盤に貼るために用いられる第２の前記文字群と、
前記中央から２オクターブ上の鍵盤に貼るために用いられる第３の前記文字群と、
前記中央から１オクターブ下の鍵盤に貼るために用いられる第４の前記文字群と、
前記中央から２オクターブ下の鍵盤に貼るために用いられる第５の前記文字群と
が前記表面に印刷されている
請求項２に記載のピアノ演奏支援具。